(57)【要約】【課題】  検出誤差の発生及び取付けスペースの増大を防止し得る圧力計の取付装置を提供する。【解決手段】  圧力計のケース１２から突出される圧力入力軸１５の先端部にナット部材２３を螺合することにより、圧力計を取付パネル２５に固定する圧力計の取付装置において、圧力入力軸１５とナット部材２３とで取付パネル２５を挟着して、圧力計を取付パネル２５に固定する。【選択図】      図２
2005106474.tif 000002
【特許請求の範囲】
【請求項１】
圧力計のケースから突出される圧力入力軸の先端部にナット部材を螺合することにより、前記圧力計を取付パネルに固定する圧力計の取付装置において、
前記圧力入力軸と前記ナット部材とで前記取付パネルを挟着して、前記圧力計を前記取付パネルに固定することを特徴とする圧力計の取付装置。
【請求項２】
圧力計のケースから突出される圧力入力軸の先端部にナット部材を螺合することにより、前記圧力計を取付パネルに固定する圧力計の取付装置において、
前記圧力入力軸に支持される挟着板と前記ナット部材とで前記取付パネルを挟着して、前記圧力計を前記取付パネルに固定することを特徴とする圧力計の取付装置。
【請求項３】
前記圧力入力軸の基端部に段差部を設け、前記挟着板を該段差部で支持したことを特徴とする請求項２記載の圧力計の取付装置。
【請求項４】
前記圧力入力軸の基端部に四角軸部を形成し、該四角軸部の基端部に前記段差部を設け、前記挟着板には前記段差部を除く四角軸部を挿通可能とした四角孔を形成して、該挟着板を前記段差部で支持可能としたことを特徴とする請求項３記載の圧力計の取付装置。
【請求項５】
前記圧力入力軸の基端部に係止溝を設け、前記挟着板を該係止溝で支持したことを特徴とする請求項２記載の圧力計の取付装置。
【発明の詳細な説明】
【技術分野】
【０００１】
この発明は、圧力計を制御盤等の取付パネルに取付けるための取付装置に関するものである。
【背景技術】
【０００２】
図４は、従来の圧力計の取付け装置を示す。この圧力計は、合成樹脂で有底円筒状に成形されたケース１内にブルドン管にてなる圧力検出部が収納され、ケース１の前面には針式の表示板２が取着される。
【０００３】
ケース１の底面３から圧力入力軸４が突出され、その圧力入力軸４には図示しない配管により被測定気圧が入力される。また、圧力入力軸４の先端部にはネジ５が刻設され、底面３には凸条６がケース１の外周面に沿って形成される。
【０００４】
このように構成された圧力計は、図５に示すように、制御盤等の取付パネル７に圧力入力軸４が挿通され、取付パネル７の背面側からナット部材８がネジ５に螺合される。そして、ケース１の凸条６とナット部材８との間で取付パネル７を挟みつけることにより、圧力計が取付パネル７に取着される。
【０００５】
また、特許文献１には、圧力計を取付け部材に取着し、その取付け部材とナット部材との間で取付パネルを挟み付けて、圧力計を取付パネルに取着する構成が開示されている。
【特許文献１】特開昭６３−７３６２０号公報
【発明の開示】
【発明が解決しようとする課題】
【０００６】
図４及び図５に示す構成では、圧力計を取付パネル７に取着するとき、ケース１の凸条６とナット部材８との間で取付パネル７を挟みつける構成であるので、その応力が凸条６に作用し、ケース１に歪みが発生する。この結果、ケース１の歪みが圧力検出部に作用して、表示板２に表示される検出値に誤差が発生するという問題点がある。
【０００７】
また、特許文献１に記載された構成では、圧力計のケースに取付けのための応力が作用しにくいので、誤差の発生を抑制することができる。ところが、圧力計を収容した取付け部材を取付パネルに取着するので、取付けスペースが増大するという問題点がある。
【０００８】
この発明の目的は、検出誤差の発生及び取付けスペースの増大を防止し得る圧力計の取付装置を提供することにある。
【課題を解決するための手段】
【０００９】
請求項１では、圧力計のケースから突出される圧力入力軸の先端部にナット部材を螺合することにより、前記圧力計を取付パネルに固定する圧力計の取付装置において、前記圧力入力軸と前記ナット部材とで前記取付パネルを挟着して、前記圧力計を前記取付パネルに固定する。
【００１０】
請求項２では、圧力計のケースから突出される圧力入力軸の先端部にナット部材を螺合することにより、前記圧力計を取付パネルに固定する圧力計の取付装置において、前記圧力入力軸に支持される挟着板と前記ナット部材とで前記取付パネルを挟着して、前記圧力計を前記取付パネルに固定する。
【００１１】
請求項３では、前記圧力入力軸の基端部に段差部を設け、前記挟着板を該段差部で支持した。
請求項４では、前記圧力入力軸の基端部に四角軸部を形成し、該四角軸部の基端部に前記段差部を設け、前記挟着板には前記段差部を除く四角軸部を挿通可能とした四角孔を形成して、該挟着板を前記段差部で支持可能とした。
【００１２】
請求項５では、前記圧力入力軸の基端部に係止溝を設け、前記挟着板を該係止溝で支持した。
【発明の効果】
【００１３】
本発明によれば、検出誤差の発生及び取付けスペースの増大を防止し得る圧力計の取付装置を提供することができる。
【発明を実施するための最良の形態】
【００１４】
（第一の実施の形態）
以下、本発明を具体化した第一の実施の形態を図面に従って説明する。図１に示す圧力計１１のケース１２、表示板１３及びケース１２内に収容される圧力検出部は、前記従来例と同様である。
【００１５】
ケース１２の底面１４から圧力入力軸１５が突出され、その圧力入力軸１５の中心部には圧力検出部に連通する連通孔１６が形成されている。そして、図示しない配管から連通孔１６を介して圧力検出部に被測定気圧が入力される。この圧力入力軸１５は、ステンレスあるいは黄銅等で形成される。
【００１６】
圧力入力軸１５の先端部は丸軸部として形成され、基端部は四角軸部として形成される。前記丸軸部にはネジ１７が刻設され、四角軸部の基端部には段差部１８が形成されている。前記段差部１８は、前記ケース１２の底面１４近傍部分を拡径することにより形成される。
【００１７】
前記圧力入力軸１５の四角軸部には、挟着板１９が嵌挿される。挟着板１９は、ケース１２の底面１４よりやや小径の円板として金属板で形成され、中央部に前記四角軸部を挿通可能とした四角孔２０が形成されている。前記四角孔２０は、段差部１８より小径に形成される。従って、図２に示すように、挟着板１９は段差部１８に当接するまで嵌挿可能であり、その状態でネジ２１によりケース１２の底面１４に固定されている。なお、ネジ２１は、ケース１２内まで螺入されて、圧力検出部をケース１２に固定するようになっている。
【００１８】
また、前記段差部１８の底面１４からの高さ及び挟着板１９の厚さは、段差部１８に支持された挟着板１９が、底面１４の外周部に形成される凸条２２より圧力入力軸１５の先端側に突出するように設定されている。
【００１９】
ナット部材２３は、合成樹脂で有蓋円筒状に形成され、その蓋部の中央部には、前記圧力入力軸１５のネジ１７に螺合可能としたネジ孔２４が形成されている。そして、ネジ孔２４にネジ１７を螺合すると、図２に示すように、ナット部材２３の開口縁が挟着板１９に対向するようになっている。
【００２０】
このように構成された圧力計１１を取付パネルに取付ける場合には、図２に示すように、あらかじめ挟着板１９を取着した圧力計１１の圧力入力軸１５を取付パネル２５にあらかじめ形成された取付孔２６に挿通する。
【００２１】
次いで、取付パネル２５の裏側からナット部材２３をネジ１７に螺合する。すると、取付パネル２５は挟着板１９とナット部材２３の開口縁との間に挟着されて、この結果圧力計１１が取付パネル２５に固定される。
【００２２】
上記のように構成された圧力切換弁では、次に示す作用効果を得ることができる。
（１）取付パネル２５の取付孔２６に挿通した圧力入力軸１５にナット部材２３を螺合することにより、圧力計１１を取付パネル２５に固定することができる。
（２）圧力計１１の圧力入力軸１５のみを取付パネル２５に挿通して、ナット部材２３で固定する構成であるので、特許文献１に開示された取付け部材を必要としない。従って、取付スペースの縮小を図ることができる。
（３）取付パネル２５を挟着板１９とナット部材２３との間に挟着することにより圧力計１１を取付パネル２５に固定することができる。このとき、取付パネル２５を挟着するための応力は、圧力入力軸１５の段差部１８のみで受けて、ケース１２に作用することはない。従って、ケース１２での歪みの発生を防止することができるので、被検出圧力の検出精度の低下を防止することができる。
（第二の実施の形態）
図３は、第二の実施の形態を示す。この実施の形態は、前記第一の実施の形態に対し、挟着板を圧力計１１に取着する構成のみが相違し、その他の構成は同様である。
【００２３】
圧力入力軸１５の四角軸部の基端部両側面には、係止溝２７が形成される。挟着板２８は、圧力入力軸１５の軸心に対し直行する方向（図３においては下方）から前記係止溝に嵌挿可能とした嵌合部２９が形成されている。そして、嵌合部２９を係止溝２７に嵌合した状態でネジ２１によりケース１２の底面１４に固定されている。
【００２４】
このように形成された圧力計１１を取付パネル２５に取着すると、第一の実施の形態と同様に取付パネル２５を挟着板２８とナット部材２３との間に挟着可能である。そして、挟着動作により応力は係止溝２７で受けて、ケース１２に作用することはない。従って、第一の実施の形態と同様な作用効果を得ることができる。
【００２５】
上記各実施の形態は、以下の態様で実施してもよい。
・圧力入力軸１５の基端部にフランジ部を形成し、そのフランジ部とナット部材２３との間に取付パネルを挟着してもよい。
【図面の簡単な説明】
【００２６】
【図１】第一の実施の形態を示す分解斜視図である。
【図２】第一の実施の形態を示す断面図である。
【図３】第二の実施の形態を示す分解斜視図である。
【図４】従来例を示す分解斜視図である。
【図５】従来例を示す断面図である。
【符号の説明】
【００２７】
１１        圧力計
１２        ケース
１５        圧力入力軸
２３        ナット部材
２５        取付パネル
１９，２８      挟着板
【図１】
2005106474.tif 000003
【図２】
2005106474.tif 000004
【図３】
2005106474.tif 000005
【図４】
2005106474.tif 000006
【図５】
2005106474.tif 000007